(57)【要約】【課題】集塵装置を掃除機本体から取り外す際に、集塵装置を容易に取り外すことができ、使い勝手のよい電気掃除機の提供。【解決手段】電動送風機を内蔵する掃除機本体と、電動送風機で発生された吸引風によって吸引された塵埃を捕集する集塵装置と、集塵装置に回動自在に軸支されたハンドルと、ハンドルの回動軸部に配置され、ハンドルが倒立状態となる方向にハンドルを付勢する付勢手段と、付勢手段の付勢力に反してハンドルを収納状態で保持する保持部と、ハンドルと保持部との係合を解除する操作部と、を備え、集塵装置が掃除機本体に取り付けられた状態で、操作部が操作されると、操作部の動作に連動してハンドルと保持部との係合が解除され、ハンドルが付勢手段の付勢力によって収納状態から倒立状態となる方向に回動されるとともに、ハンドルと掃除機本体との係合が解除される電気掃除機。【選択図】図２
2014050499.tif 000002
【特許請求の範囲】
【請求項１】
吸引風を発生させる電動送風機を内蔵する掃除機本体と、前記掃除機本体に取り付けられ、前記電動送風機で発生された吸引風によって吸引された塵埃を捕集する集塵装置と、前記集塵装置に回動自在に軸支されたハンドルと、前記ハンドルの回動軸部に配置されており、前記ハンドルが倒立状態となる方向に前記ハンドルを付勢する付勢手段と、前記集塵装置に設けられており、前記ハンドルと係合し、前記付勢手段の付勢力に反して前記ハンドルを収納状態で保持する保持部と、前記集塵装置に設けられており、前記ハンドルと前記保持部との係合を解除する操作部と、を備え、前記集塵装置は、前記ハンドルと前記掃除機本体とが係合され、かつ、前記ハンドルと前記保持部と係合されることで、前記掃除機本体に取り付けられており、前記集塵装置が前記掃除機本体に取り付けられた状態で、前記操作部が操作されると、前記操作部の動作に連動して前記ハンドルと前記保持部との係合が解除され、前記ハンドルが前記付勢手段の付勢力によって収納状態から倒立状態となる方向に回動されるとともに、前記ハンドルと前記掃除機本体との係合が解除される、電気掃除機。
【請求項２】
前記集塵装置が前記掃除機本体に取り付けられた状態で前記操作部が操作され、前記ハンドルと前記保持部との係合が解除され、前記ハンドルが前記付勢手段の付勢力によって収納状態から倒立状態へと回動されると、前記ハンドルと前記掃除機本体との係合が解除されるとともに、前記ハンドルの回動に連動して前記ハンドルと前記掃除機本体と当接され、前記集塵装置が前記掃除機本体から離間する方向に押上られる、請求項１に記載の電気掃除機。
【請求項３】
前記付勢手段は、前記ハンドルの回動時に前記ハンドルの回転軸部と同軸に回動する、請求項１または２に記載の電気掃除機。
【請求項４】
前記付勢手段は、ねじりばねで構成されており、前記ねじりばねは、前記ねじりばねの一端のみが前記ハンドルに固定されており、前記ねじりばねの他端は、前記ハンドルが収納状態であるときには、前記集塵装置に当接するとともに、前記ハンドルが収納状態から倒立状態に回動するときには、前記ハンドルの回動に連動して回動するように構成されている、請求項１〜３のうちの何れか１項に記載の電気掃除機。
【請求項５】
前記付勢手段は、ねじりばねで構成されており、前記ねじりばねは、前記ねじりばねの一端のみが前記ハンドルに固定されており、前記ねじりばねは、前記ハンドルの回動角度が前記ねじりばねが無荷重状態となる角度未満である場合には、前記ねじりばねの一端が前記ハンドルの回動に連動して回動するとともに、前記ねじりばねの他端が前記集塵装置に当接しており、前記ハンドルの回動角度が前記ねじりばねが無荷重状態となる角度以上になった場合には、前記ねじりばねの両端が前記ハンドルの回動に連動して回動するように構成されている、請求項１〜４のうちの何れか１項に記載の電気掃除機。
【請求項６】
前記集塵装置は、前記掃除機本体に所定角度傾斜した状態で取り付けられ、前記操作部は、前記集塵装置の前方の上部に配置されており、前記ハンドルは、前記集塵装置の後方に向かって回動する、請求項１〜５の何れか１項に記載の電気掃除機。
【発明の詳細な説明】
【技術分野】
【０００１】
本発明は、電気掃除機に関する。
【背景技術】
【０００２】
従来、サイクロン式の電気掃除機においては、電気掃除機の使い勝手を向上させるべく、集塵装置に設けられたハンドルが倒立状態で集塵装置が掃除機本体に取り付けられた際に、ハンドルが倒立状態から収納状態へと回動するとともに、ハンドルと掃除機本体とが係合し、集塵装置が掃除機本体に取り付けられる構成が提案されている（例えば、特許文献１参照）。
【０００３】
すなわち、図１０（ａ）及び（ｂ）に示すように、従来の電気掃除機２００は、吸引風を発生させる電動送風機（図示せず）を内蔵する掃除機本体２０１と、掃除機本体２０１に着脱自在に取り付けられ、電動送風機（図示せず）で発生された吸引風によって吸引された塵埃を捕集する集塵装置２０２と、を備えている。また、集塵装置２０２の上部には、端部に第１の爪部２０４を有するとともに、中央部に第３の凹部（図示せず）を有するハンドル２０３と、第１の爪部２０４と係合し、ハンドル２０３を倒立状態で保持する第１の凹部２０５と、第３の凹部（図示せず）と係合し、ハンドル２０３を収納状態で保持する第２の爪部２０６と、が設けられている。さらに、掃除機本体２０１には、使用者が掃除機本体２０１を持ち運ぶ際に保持する本体ハンドル２０７が設けられており、この本体ハンドル２０７には、集塵装置２０２が掃除機本体２０１に取り付けられた際に、第１の爪部２０４と係合する第２の凹部２０８が設けられている。
【０００４】
そして、図１０（ａ）及び（ｂ）に示すように、従来の電気掃除機２００においては、集塵装置２０２のハンドル２０３が倒立状態で集塵装置２０２が掃除機本体２０１に取り付けられた場合、ハンドル２０２と本体ハンドル２０７とが当接することで、第１の爪部２０４と第１の凹部２０５との係合が解除され、ハンドル２０３が倒立状態から収納状態へと回動するとともに、第１の爪部２０４と第２の凹部２０８とが嵌合し、この状態で使用者がハンドル２０３を下方へと押し下げることで、ハンドル２０３に設けた第３の凹部（図示せず）と集塵装置２０２に設けた第２の爪部２０６とが嵌合され、集塵装置２０２が掃除機本体２０１に取り付けられるように構成されている。
【先行技術文献】
【特許文献】
【０００５】
【特許文献１】特開２０１２−５５５００号公報
【発明の概要】
【発明が解決しようとする課題】
【０００６】
しかしながら、上記従来の電気掃除機においては、電気掃除機の使い勝手を向上させるという観点からは未だ改善の余地があった。
【０００７】
すなわち、上記従来の電気掃除機において、集塵装置は、ハンドルに設けられた第１の爪部と本体ハンドルに設けられた第２の凹部、及び、ハンドルに設けられた第３の凹部と集塵装置の上部に設けられた第２の爪部が嵌合することで、掃除機本体に取り付けられているため、集塵装置を掃除機本体から取り外す際、使用者はハンドルを手動で回動させて、第１の爪部と第２の凹部との嵌合、及び、第３の凹部と第２の爪部との嵌合の両方を解除する必要があった。そのため、ハンドルの回動が重くなってしまい、使用者がハンドルを容易に回動させることができず、掃除機本体から集塵装置を容易に取り外すことができ
ない場合があった。
【０００８】
本発明は、上記従来技術の有する課題に鑑みてなされたものであり、集塵装置を掃除機本体から取り外す際に、集塵装置を容易に取り外すことができ、使い勝手のよい電気掃除機を提供することを目的とする。
【課題を解決するための手段】
【０００９】
上記従来技術の有する課題を解決するために、本発明は、吸引風を発生させる電動送風機を内蔵する掃除機本体と、掃除機本体に取り付けられ、電動送風機で発生された吸引風によって吸引された塵埃を捕集する集塵装置と、集塵装置に回動自在に軸支されたハンドルと、ハンドルの回動軸部に配置されており、ハンドルが倒立状態となる方向にハンドルを付勢する付勢手段と、集塵装置に設けられており、ハンドルと係合し、付勢手段の付勢力に反してハンドルを収納状態で保持する保持部と、集塵装置に設けられており、ハンドルと保持部との係合を解除する操作部と、を備え、集塵装置は、ハンドルと掃除機本体とが係合され、かつ、ハンドルと保持部と係合されることで、掃除機本体に取り付けられており、集塵装置が掃除機本体に取り付けられた状態で、操作部が操作されると、操作部の動作に連動してハンドルと保持部との係合が解除され、ハンドルが付勢手段の付勢力によって収納状態から倒立状態となる方向に回動されるとともに、ハンドルと掃除機本体との係合が解除される電気掃除機を提供する。
【００１０】
これにより、集塵装置が掃除機本体に取り付けられハンドルが収納状態となっている状態で、操作部が操作されると、操作部の動作に連動してハンドルと保持部との係合が解除され、ハンドルが付勢手段の付勢力によって収納状態から倒立状態となる方向へと自動的に回動するとともに、ハンドルと掃除機本体との係合が解除されることになる。そのため、使用者が集塵装置を掃除機本体から取り外す場合、使用者は、操作部を操作し、ハンドルと保持部との係合を解除するだけで、付勢手段の付勢力によってハンドルを容易に回動させることができ、ハンドルと掃除機本体との係合を解除することができるため、操作部を操作するだけで集塵装置を掃除機本体から容易に取り外すことができ、電気掃除機の使い勝手を向上させることができる。
【発明の効果】
【００１１】
本発明の電気掃除機によれば、使用者が集塵装置を掃除機本体から取り外す場合、使用者は、操作部を操作し、ハンドルと保持部との係合を解除するだけで、付勢手段の付勢力によってハンドルを容易に回動させることができ、ハンドルと掃除機本体との係合を解除することができるため、操作部を操作するだけで集塵装置を掃除機本体から容易に取り外すことができ、電気掃除機の使い勝手を向上させることができるようになる。
【図面の簡単な説明】
【００１２】
【図１】本発明の実施の形態１における電気掃除機の全体斜視図
【図２】本発明の実施の形態１における掃除機本体の全体斜視図
【図３】本発明の実施の形態１における掃除機本体の全体断面図
【図４】本発明の実施の形態１における集塵装置の前面斜視図
【図５】本発明の実施の形態１における集塵装置の全体断面図
【図６】本発明の実施の形態１における集塵装置の後面斜視図
【図７】本発明の実施の形態１におけるハンドルを取り外した状態の集塵装置の後面斜視図
【図８】本発明の実施の形態１におけるハンドルが収納状態から倒立状態へと回動する様子を示す集塵装置の部分拡大断面図
【図９】（ａ）本発明の実施の形態１における集塵装置が掃除機本体に装着される様子を示す掃除機本体の側面図、（ｂ）本発明の実施の形態１における集塵装置が掃除機本体に装着された状態を示す掃除機本体の側面図
【図１０】（ａ）従来の電気掃除機における集塵装置が掃除機本体に装着される様子を示す掃除機本体の側面図、（ｂ）従来の電気掃除機における集塵装置が掃除機本体に装着された状態を示す掃除機本体の側面図
【発明を実施するための形態】
【００１３】
第１の発明は、吸引風を発生させる電動送風機を内蔵する掃除機本体と、掃除機本体に取り付けられ、電動送風機で発生された吸引風によって吸引された塵埃を捕集する集塵装置と、集塵装置に回動自在に軸支されたハンドルと、ハンドルの回動軸部に配置されており、ハンドルが倒立状態となる方向にハンドルを付勢する付勢手段と、集塵装置に設けられており、ハンドルと係合し、付勢手段の付勢力に反してハンドルを収納状態で保持する保持部と、集塵装置に設けられており、ハンドルと保持部との係合を解除する操作部と、を備え、集塵装置は、ハンドルと掃除機本体とが係合され、かつ、ハンドルと保持部と係合されることで、掃除機本体に取り付けられており、集塵装置が掃除機本体に取り付けられた状態で、操作部が操作されると、操作部の動作に連動してハンドルと保持部との係合が解除され、ハンドルが付勢手段の付勢力によって収納状態から倒立状態となる方向に回動されるとともに、ハンドルと掃除機本体との係合が解除される電気掃除機としたものである。
【００１４】
これにより、集塵装置が掃除機本体に取り付けられハンドルが収納状態となっている状態で、操作部が操作されると、操作部の動作に連動してハンドルと保持部との係合が解除され、ハンドルが付勢手段の付勢力によって収納状態から倒立状態となる方向へと自動的に回動するとともに、ハンドルと掃除機本体との係合が解除されることになる。そのため、使用者が集塵装置を掃除機本体から取り外す場合、使用者は、操作部を操作し、ハンドルと保持部との係合を解除するだけで、付勢手段の付勢力によってハンドルを容易に回動させることができ、ハンドルと掃除機本体との係合を解除することができるため、操作部を操作するだけで集塵装置を掃除機本体から容易に取り外すことができ、電気掃除機の使い勝手を向上させることができる。
【００１５】
第２の発明は、特に第１の発明において、集塵装置が掃除機本体に取り付けられた状態で操作部が操作され、ハンドルと保持部との係合が解除され、ハンドルが付勢手段の付勢力によって収納状態から倒立状態へと回動されると、ハンドルと掃除機本体との係合が解除されるとともに、ハンドルの回動に連動してハンドルと掃除機本体と当接され、集塵装置が掃除機本体から離間する方向に押上られる構成としたものである。
【００１６】
これにより、使用者が集塵装置を掃除機本体から取り外すために操作部を操作して、ハンドルと保持部との係合が解除すると、ハンドルが付勢手段の付勢力によって収納状態から倒立状態となる方向へと自動的に回動するとともに、ハンドルと掃除機本体との係合が解除され、ハンドルの回動に連動してハンドルと掃除機本体とが当接し、集塵装置が掃除機本体から離間する方向に押し上げられるため、集塵装置を掃除機本体からより容易に取り外すことができ、電気掃除機の使い勝手を向上させることができる。
【００１７】
第３の発明は、特に第１または第２の発明において、付勢手段は、ハンドルの回動時にハンドルの回転軸部と同軸に回動する構成としたものである。
【００１８】
これにより、ハンドルの回動時に、付勢手段に過度な荷重がかかることを十分に防止することができるため、付勢手段の付勢力によってハンドルを容易に回動させることができるとともに、過度な荷重により付勢手段が変形することを十分に防止することができるため、付勢手段が劣化することを十分に防止することができ、付勢手段の付勢力によってハンドルを確実に回動させることができる。
【００１９】
第４の発明は、特に第１〜第３の発明において、付勢手段は、ねじりばねで構成されており、ねじりばねは、ねじりばねの一端のみがハンドルに固定されており、ねじりばねの他端は、ハンドルが収納状態であるときには、集塵装置に当接するとともに、ハンドルが収納状態から倒立状態に回動するときには、ハンドルの回動に連動して同軸に回動するように構成されているものである。
【００２０】
これにより、付勢手段をねじりばねで構成しているため、付勢手段を安価に構成することができる。また、ねじりばねは、ねじりばねの一端がハンドルに固定されているため、ハンドルの回動軸部にねじりばねを確実に保持させることができるため、付勢手段の付勢力、すなわち、ねじりばねの付勢力によって、ハンドルを確実に回動させることができる。さらに、ねじりばねは、ねじりばねの一端のみがハンドルに固定されており、ねじりばねの他端は、ハンドルが収納状態であるときには、集塵装置に当接するとともに、ハンドルが収納状態から倒立状態に回動するときには、ハンドルの回動に連動して回動するように構成されているため、ねじりばねの付勢力をハンドルに確実に伝達し、ハンドルを収納状態から倒立状態となる方向へと確実に回動させることができる。また、ハンドルの回動時に、ねじりばねに過度な荷重がかかり、ねじりばねが変形することを十分に防止することができるため、ねじりばねが劣化することを十分に防止でき、ねじりばねの付勢力によってハンドルをより確実に回動させることができる。
【００２１】
第５の発明は、特に第１〜第４の発明において、付勢手段は、ねじりばねで構成されており、ねじりばねは、ねじりばねの一端のみがハンドルに固定されており、ねじりばねは、ハンドルの回動角度がねじりばねが無荷重状態となる角度未満である場合には、ねじりばねの一端がハンドルの回動に連動して回動するとともに、ねじりばねの他端が集塵装置に当接しており、ハンドルの回動角度がねじりばねが無荷重状態となる角度以上になった場合には、ねじりばねの両端がハンドルの回動に連動して回動するように構成されているものである。
【００２２】
これにより、ねじりばねは、ハンドルの回動角度がねじりばねが無荷重状態となる角度未満である場合には、ねじりばねの一端がハンドルの回動に連動して回動するとともに、ねじりばねの他端が集塵装置に当接しており、ハンドルの回動角度がねじりばねが無荷重状態となる角度以上になった場合には、ねじりばねの両端がハンドルの回動に連動して回動するように構成されているため、ねじりばねの付勢力をハンドルに確実に伝達し、ハンドルを確実に回動させることができる。また、ねじりばねが無荷重状態となる角度以上にハンドルを回動させた際に、ねじりばねに過度な荷重がかかることがなく、ねじりばねが変形することを十分に防止することができるため、過度な荷重によってねじりばねが劣化することを十分に防止することができ、ねじりばねの付勢力によってハンドルを確実に回動させることができる。
【００２３】
第６の発明は、特に第１〜第５の発明において、集塵装置は、掃除機本体に所定角度傾斜した状態で取り付けられ、操作部は、集塵装置の前方の上部に配置されており、ハンドルは、集塵装置の後方に向かって回動する構成としたものである。
【００２４】
これにより、集塵装置が掃除機本体に対して所定角度傾斜した状態で取り付けられるため、掃除機本体を小型化することができる。また、集塵装置の前方の上部に操作部を配置し、集塵装置の後方に向かってハンドルが回動するように構成しているため、操作部が掃除機本体の前面の上部に配置される構成となり、使用者が操作部を操作しやすくなるとともに、使用者が操作部を操作してハンドルを回動させた際に、ハンドルが使用者の手にぶつかることがなく、電気掃除機の使い勝手を向上させることができる。
【００２５】
以下、図面を参照しながら本発明の電気掃除機の好適な実施の形態について詳細に説明する。なお、以下の説明では、同一または相当部分には同一符号を付し、重複する説明は省略する。
【００２６】
（実施の形態１）
本発明の電気掃除機の実施の形態１について、図１〜図９を用いて説明する。
【００２７】
図１は、本発明の実施の形態１における電気掃除機の全体斜視図である。また、図２は、本発明の実施の形態１における掃除機本体の全体斜視図である。さらに、図３は、本発明の実施の形態１における掃除機本体の全体断面図である。また、図４は、本発明の実施の形態１における集塵装置の全体斜視図である。さらに、図５は、本発明の実施の形態１における集塵装置の全体断面図である。また、図６は、本発明の実施の形態１における集塵装置の後面斜視図である。さらに、図７は、本発明の実施の形態１におけるハンドルを取り外した状態の集塵装置の後面斜視図である。また、図８は、本発明の実施の形態１におけるハンドルが収納状態から倒立状態へと回動する様子を示す集塵装置の部分拡大断面図である。さらに、図９（ａ）は、本発明の実施の形態１における集塵装置が掃除機本体に装着される様子を示す掃除機本体の側面図であり、図９（ｂ）は、本発明の実施の形態１における集塵装置が掃除機本体に装着された状態を示す掃除機本体の側面図である。
【００２８】
図１に示すように、電気掃除機１００は、吸引風を発生させる電動送風機９（図３参照）を内蔵する掃除機本体１と、掃除機本体１に着脱自在に取り付けられる集塵装置２と、被清掃面の塵埃を捕集する吸込具３と、一端が吸込具３に着脱自在に接続される伸縮自在或いは継ぎ自在の延長管４と、一端が延長管４の他端に着脱自在に接続され、他端が掃除機本体１に設けられた吸気口１ａに着脱自在に接続されるホース５と、から構成されている。
【００２９】
吸込具３には、被清掃面の塵埃を掻きあげる回転ブラシ（図示せず）と、回転ブラシ（図示せず）を回転駆動する電動機（図示せず）と、が内蔵されている。また、ホース５の延長管４側の端部には、掃除の際に使用者が保持する把手部６を備えた先端パイプ７が設けられており、この先端パイプ７を介して延長管４とホース５とが着脱自在に接続されている。さらに、ホース５の掃除機本体１側の端部には、接続パイプ８が設けられており、この接続パイプ８を介して掃除機本体１の吸気口１ａとホース５とが着脱自在に接続されている。
【００３０】
図２及び図３に示すように、掃除機本体１の後部には、吸引風を発生させる電動送風機９を内蔵する電動送風機室１０が形成されている。また、掃除機本体１の後部には、商用電源に接続される電源コード（図示せず）を巻き取る電源コード巻取り装置（図示せず）が内蔵されている。
【００３１】
掃除機本体１の前部には、電動送風機９で発生された吸引風によって吸引された塵埃を分離捕集する集塵装置２が着脱自在に取り付けられる集塵装置収納部１１が配置されており、集塵装置２は集塵装置収納部１１に所定角度傾斜して取り付けられることで、集塵装置２が掃除機本体１に所定角度傾斜した状態で取り付けられる。ここで、本実施の形態においては、集塵装置２が略４５度傾斜した状態で掃除機本体１に取り付けられるように構成している。
【００３２】
掃除機本体１の後方の下部の両側には、１対の走行用の車輪１２が回動自在に配置されている。また、掃除機本体１の底面の前方には、同じく走行用のキャスター１３が回動自在に配置されている。さらに、掃除機本体１の上部には、使用者が掃除機本体１を持ち運ぶ際に保持する本体ハンドル１４が設けられている。この本体ハンドル１４は、掃除機本
体１に集塵装置２が取り付けられた状態で、集塵装置２の上方に位置するように設けられている。また、本体ハンドル１４の掃除機本体１側の両端部には、集塵装置２が掃除機本体１に取り付けられた際に、後述する集塵装置２のハンドル２３に設けられた爪部３４と係合する第１の凹部１４ａが設けられている。
【００３３】
図４〜図９に示すように、集塵装置２は、主として、両端に開口部（図示せず）を有する略円筒状の集塵装置本体１５と、集塵装置本体１５の内部に集塵装置本体１５と同心状に配置されており、一次フィルター１６を有する一次フィルター取り付け枠１７と、一次フィルター取り付け枠１７の上方に配置された二次フィルター１８と、一次フィルター１６の下方に配置された傘状の第１の延出部１９と、一次フィルター１６と第１の延出部１９との間に配置された第２の延出部２０と、集塵装置本体１５に回動自在に取り付けられており、集塵装置本体１５の下端側の開口部（図示せず）を開閉自在に覆う下蓋体２１と、集塵装置本体１５に着脱自在に取り付けられており、集塵装置本体１５の上端側の開口部（図示せず）及び二次フィルター１８の上面を覆う上蓋体２２と、上蓋体２２に回動自在に軸支されたハンドル２３と、から構成されている。また、集塵装置本体１５、下蓋体２１、上蓋体２２、及び、ハンドル２３により、集塵装置２の外郭が形成されている。
【００３４】
集塵装置本体１５は、集塵装置本体１５の長手方向の中央部の内径が集塵装置本体１５の長手方向の両端の内径よりも小さくなるように形成されている。また、集塵装置本体１５の後部には、掃除機本体１の集塵装置収納部１１に集塵装置２が取り付けられた状態で、掃除機本体１の吸気口１ａと連通する流入口１５ａが形成されている。さらに、集塵装置本体１５の内部には、電動送風機９で発生された吸引風によって吸引され、掃除機本体１に設けられた吸気口１ａを介して集塵装置本体１５に設けられた流入口１５ａから集塵装置２の内部に流入した塵埃を遠心分離する遠心分離空間部２ａと、遠心分離空間部２ａの下流側に設けられており、遠心分離空間部２ａで遠心分離された塵埃を捕集する塵埃蓄積空間部２ｂと、が形成されている。この遠心分離空間部２ａは、集塵装置本体１５の内面と一次フィルター１６とによって集塵装置２の長手方向の略中央部に形成されている。また、塵埃蓄積空間部２ｂは、集塵装置本体１５の内面、第１の延出部１９、及び、下蓋体２１によって集塵装置２の下部に形成されている。
【００３５】
一次フィルター１６は、金属材料で構成されており、金属表面部分には樹脂などによる凹凸形状を設けない構成とすることで、旋回流が滑らかに流れることになり、分離効率を高めるとともに、塵埃などの巻きつきを軽減する効果を発揮する。なお、一次フィルター１６の表面に研磨処理を施すことによって、その効果を高めることができ、また抗菌処理を施すことによって、一次フィルター１６を清潔に保つことができる。また、一次フィルター１６は、集塵装置本体１５と略同心状に形成された一次フィルター取り付け枠１７に取り付けられた状態で集塵装置本体１５の内部に配置されているとともに、一次フィルター取り付け枠１７が集塵装置本体１５の内部に取り付けられた状態で、一次フィルター１６は集塵装置本体１５の流入口１５ａに対向する位置に位置するように構成されている。
【００３６】
一次フィルター１６の上方、すなわち、一次フィルター取り付け枠１７の上部には、プリーツ状に形成された二次フィルター１８が配置されており、一次フィルター１６を通過した塵埃が二次フィルター１８によって捕集されるように構成されている。また、二次フィルター１８の上部には、二次フィルター１８に付着した塵埃を除塵する除塵部２４と、除塵部２４を駆動させる駆動部２５と、が配置されている。除塵部２４は、二次フィルター１８の上面と当接するように二次フィルター１８と後述する上蓋体２２との間に配置されており、駆動部２５は、後述する上蓋体２２の内部に配置されている。
【００３７】
一次フィルター１６の下部には、一次フィルター取り付け枠１７の下端から集塵装置本体１５の下方に向かって延出された傘状の第１の延出部１９が形成されている。第１の延
出部１９は、集塵装置本体１５の長手方向の中心軸に対して所定角度傾斜するように一次フィルター取り付け枠１７の下端から集塵装置本体１５の下方に向かって延出された第１の傾斜部１９ａと、集塵装置本体１５の長手方向の中心軸に対して略平行となるように第１の傾斜部１９ａの下端から集塵装置本体１５の下方に向かって延設された垂直部１９ｂと、第１の傾斜部１９ａと垂直部１９ｂの内側に設けられ、第１の傾斜部１９ａの上端から集塵装置本体１５の下方に向かって延出された略円筒状の第１の円筒部１９ｃと、第１の円筒部１９ｃの内側に設けられているとともに、第１の傾斜部１９ａの上端から集塵装置本体１５の中心軸に向かって延設され、除塵部２４によって二次フィルター１８から除塵された塵埃を集塵装置２の下部に導く第２の傾斜部１９ｄと、第２の傾斜部１９ｄの下部から集塵装置本体１５の下方に向かって延設された第２の円筒部１９ｅと、から構成されている。
【００３８】
第１の傾斜部１９ａは、集塵装置本体１５の下方に向かうにつれて集塵装置本体１５の径方向に広がるように形成されている。また、第１の傾斜部１９ａ及び垂直部１９ｂと集塵装置本体１５の内面との間には、遠心分離空間部２ａで遠心分離された塵埃を塵埃蓄積空間部２ｂへと導く塵埃通路部２ｃが形成されており、この塵埃通路部２ｃは、塵埃通路部２ｃの幅Ｈ１が遠心分離空間部２ａの幅Ｈ２よりも小さくなるように形成されている。さらに、垂直部１９ｂの下端と後述する下蓋体２１との間、および、第１の円筒部１９ｃの下端と後述する下蓋体２１との間には隙間（図示せず）が形成されている。また、第１の傾斜部１９ａ及び垂直部１９ｂと第１の円筒部１９ｃとの間、および、第１の円筒部１９ｃと第２の傾斜部１９ｄ及び第２の円筒部１９ｅとの間には、空間（図示せず）が形成されており、この空間（図示せず）によって、塵埃蓄積空間部２ｂに蓄積された塵埃が遠心分離空間部２ａへ舞いあがることを防止している。さらに、第２の円筒部１９ｅは、第２の円筒部１９ｅの下端が後述する下蓋体２１に当接するように構成されている。また、第１の延出部１９の一次フィルター取り付け枠１７側の端部には、第１の延出部１９から一次フィルター取り付け枠１７側に向かって延設された嵌合爪部（図示せず）が設けられている。さらに、一次フィルター取り付け枠１７の内部の嵌合爪部（図示せず）に対応する位置には、嵌合爪部（図示せず）と嵌合する嵌合突起部（図示せず）が設けられており、この嵌合爪部（図示せず）と嵌合突起部（図示せず）とが嵌合することで、一次フィルター取り付け枠１７の下端に第１の延出部１９が取り付けられる。ここで、本実施の形態においては、嵌合爪部（図示せず）と嵌合突起部（図示せず）とを嵌合させることで、一次フィルター取り付け枠１７の下端に第１の延出部１９を取り付ける構成について説明したが、第１の延出部１９は溶着などの手段によって一次フィルター取り付け枠１７の下端に取り付けられていてもよい。
【００３９】
一次フィルター１６と第１の延出部１９との間には、一次フィルター１６から離れる方向に向かって延設された第２の延出部２０が設けられている。また、第２の延出部２０には、第１の延出部１９に設けられた嵌合爪部（図示せず）が挿入される嵌合孔部（図示せず）が設けられており、第２の延出部２０は、第１の延出部１９の嵌合爪部（図示せず）が第２の延出部２０の嵌合孔部（図示せず）に挿入された状態で、第１の延出部１９の嵌合爪部（図示せず）と一次フィルター取り付け枠１７の嵌合突起部（図示せず）とが嵌合されることで、一次フィルター取り付け枠１７と第１の延出部１９とで挟持されている。さらに、第２の延出部２０は、一次フィルター１６側に向かって凸状となるように所定の曲率で湾曲して形成されている。また、第２の延出部２０は、第２の延出部２０の外周側の端部と集塵装置本体１５との間、及び、第２の延出部２０の外周側の端部と第１の延出部１９との間に隙間（図示せず）が形成されるように構成されている。
【００４０】
下蓋体２１は、集塵装置本体１５の前方の下部に設けたヒンジ部２６に回動自在に取り付けられるとともに、集塵装置本体１５に設けた尾錠部２７によって、集塵装置本体１５の下端の開口部（図示せず）を閉塞した状態で集塵装置本体１５に保持される。また、下
蓋体２１の集塵装置本体１５に当接する位置には、第１のシール部材２８が配置されており、この第１のシール部材２８によって、下蓋体２１が集塵装置本体１５の下端の開口部（図示せず）を閉塞した状態で、集塵装置本体１５と下蓋体２１との間の気密性が保持されている。さらに、下蓋体２１の第２の円筒部１９ｅと当接する位置には、第２のシール部材２９が配置されており、この第２のシール部材２９によって、下蓋体２１が集塵装置本体１５の下端の開口部（図示せず）を閉塞した状態で、第２の円筒部１９ｅと下蓋体２１との間の気密性が保持されている。また、下蓋体２１は、使用者が後述する上蓋体２２に設けられた開閉操作部３１を操作することで、集塵装置本体１５の後部に設けられたスライダー３０が下方に押し下げられ、このスライダー３０によって尾錠部２７が回動されることで、下蓋体２１と尾錠部２７との係合が解除され、集塵装置本体１５の下端の開口部（図示せず）を開放されるように構成されている。
【００４１】
上蓋体２２は、集塵装置本体１５内に一次フィルター取り付け枠１７及び二次フィルター１８が取り付けられた状態において、集塵装置本体１５の上端の開口部（図示せず）及び二次フィルター１８の上面を覆うように、集塵装置本体１５の上部に着脱自在に取り付けられている。また、上蓋体２２の内部には、除塵部２４を駆動する駆動部２５が内蔵されている。さらに、上蓋体２２の後部には、集塵装置本体１５の流入口１５ａから集塵装置２の内部へと流入し、一次フィルター１６及び二次フィルター１８によって塵埃が除去されたあとの吸引風を集塵装置２の外部へと排出する流出口２２ａが設けられている。また、上蓋体２２の上面の後部には、集塵装置本体１５の下端側の開口部（図示せず）が下蓋体２１によって閉塞された状態において、下蓋体２１と尾錠部２７との係合を解除する開閉操作部３１が配置されている。さらに、上蓋体２２は、集塵装置本体１５の上部に回動自在に配置された一対のバックル部３２が上蓋体２２のバックル部３２に対応する位置に設けられた嵌合凸部（図示せず）と嵌合することで、集塵装置本体１５に取り付けられている。
【００４２】
図４〜図９に示すように、上蓋体２２には、使用者が掃除機本体１から集塵装置２を取り外し、集塵装置２を持ち運ぶ際に使用する略Ｕ字状のハンドル２３が上蓋体２２に回動自在に軸支されている。ハンドル２３は、ハンドル２３の収納状態において、ハンドル２３の下部を構成する下部ハンドル体２３ａと、下部ハンドル体２３ａに取り付けられており、ハンドル２３の収納状態において、ハンドル２３の上部を構成する上部ハンドル体２３ｂと、から構成されている。
【００４３】
下部ハンドル体２３ａの内側の端部には、ハンドル２３を上蓋体２２に回動自在に軸支する一対の回動軸部２３ｃが下部ハンドル体２３ａの内側から上蓋体２２に向かって延設されており、この回動軸部２３ｃが上蓋体２２の回動軸部２３ｃに対応する位置に形成された一対の軸穴部２２ｂに回動自在に取り付けられることで、ハンドル２３が上蓋体２２に回動自在に取り付けられている。また、回動軸部２３ｃには、ハンドル２３を収納状態から倒立状態となる方向に付勢する付勢手段であるねじりばね３３が回動軸部２３ｃに回動軸部２３ｃと同軸に取り付けられている。
【００４４】
ねじりばね３３は、一端がハンドル２３の下部ハンドル体２３ａと上部ハンドル体２３ｂとで挟持されることでハンドル２３に保持固定されるとともに、他端が上蓋体２２の上面で、かつ、軸穴部２２ｂの下方に形成された溝部２２ｃから集塵装置２の上蓋体２２の内部に挿入されている。また、集塵装置２の後方側の溝部２２ｃの端部には、ねじりばね３３の他端と当接するリブ体２２ｄが上蓋体２２の内部から上蓋体２２の上方に向かって、集塵装置２の長手方向の中心軸と略平行に形成されている。さらに、ねじりばね３３は、ハンドル２３が収納状態から倒立状態へと回動する際に、ハンドル２３の回動に連動して回動軸部２３ｃと同軸で回動するように構成されており、ねじりばね３３は、ハンドル２３の回動角度が所定角度未満である場合には、ハンドル２３に固定されたねじりばね３
３の一端のみがハンドル２３の回動に連動して回動軸部２３ｃと同軸で回動するとともに、上蓋体２２の内部に挿入されたねじりばね３３の他端はリブ体２２ｄに当接されることで回動が規制されており、ハンドル２３の回動角度が所定角度以上になった場合には、ハンドル２３に固定されたねじりばね３３の一端がハンドル２３の回動に連動して回動軸部２３ｃと同軸で回動するとともに、上蓋体２２の内部に挿入されたねじりばね３３の他端とリブ体２２ｄとの当接が解除され、ねじりばね３３の他端がハンドル２３の回動に連動して溝部２２ｃに沿って回動軸部２３ｃと同軸で回動し、ハンドル２３の回動に連動して、ねじりばね３３の両端が回動軸部２３ｃと同軸で回動するように構成されている。
【００４５】
ここで、ハンドル２３の回動角度がねじりばね３３が無荷重状態となる角度未満である場合には、ハンドル２３に固定されたねじりばね３３の一端のみがハンドル２３の回動に連動して回動軸部２３ｃと同軸で回動するとともに、上蓋体２２の内部に挿入されたねじりばね３３の他端はリブ体２２ｄに当接されることで回動が規制され、ハンドル２３の回動角度がねじりばね３３が無荷重状態となる角度以上になった場合には、ねじりばね３３の一端がハンドル２３の回動に連動して回動軸部２３ｃと同軸で回動するとともに、ねじりばね３３の他端とリブ体２２ｄとの当接が解除され、ねじりばね３３の他端がハンドル２３の回動に連動して溝部２２ｃに沿って回動軸部２３ｃと同軸で回動し、ハンドル２３の回動に連動して、ねじりばね３３の両端が回動軸部２３ｃと同軸で回動するように構成されていることが好ましい。この構成により、ハンドル２３が収納状態から倒立状態へと回動する際に、ねじりばね３３は、ハンドル２３の回動角度がねじりばね３３が無荷重状態となる角度未満である場合には、ねじりばね３３の一端がハンドル２３の回動に連動して回動軸部２３ｃと同軸で回動するとともに、ねじりばね３３の他端が上蓋体２２の内部でリブ体２２ｄに当接されているため、ねじりばね３３の付勢力でハンドル２３を確実に回動させることができる。また、ねじりばね３３は、ハンドル２３の回動角度がねじりばね３３が無荷重状態となる角度以上となった場合には、ねじりばね３３の他端とリブ体２２ｄとの当接が解除され、ねじりばね３３の両端がハンドル２３の回動に連動して回動軸部２３ｃと同軸で回動されるため、ハンドル２３の回動角度がねじりばね３３が無荷重状態となる角度以上となった状態において、ねじりばね３３に過度の荷重がかかることがなく、ねじりばね３３が変形することを十分に防止することができる。そのため、過度な荷重によってねじりばね３３が劣化することを十分に防止することができ、ねじりばね３３の付勢力によってハンドル２３を確実に回動させることができる。
【００４６】
なお、本実施の形態におけるハンドル２３の収納状態とは、ハンドル２３の下面が上蓋体２２の上面と略平行になっている状態、すなわち、後述するハンドル２３に設けられた第３の凹部３６と後述する上蓋体２２に設けられた保持部３７とが係合されている状態であり、図２〜図５及び図９に（ｂ）に示すハンドル２３の状態、および、図８中の実線で示すハンドル２３の状態Ｐ１である。また、本実施の形態におけるハンドル２３の倒立状態とは、ハンドル２３が収納状態から９０度以上倒立した状態であり、図６に示す状態、及び、図８中の二点鎖線で示すハンドル２３の状態Ｐ２である。さらに、本実施の形態において、ねじりばね３３が無荷重状態となる角度とは、ねじりばね３３が自然状態に近い状態となる角度であり、図８中の一点鎖線で示すハンドル２３の状態Ｐ３である。
【００４７】
また、ハンドル２３の回動軸部２３ｃ側の端部、すなわち、下部ハンドル体２３ａの回動軸部２３ｃ側の端部には、ハンドル２３の収納状態において、ハンドル２３の回動軸部２３ｃ側の端部から集塵装置２の上方に向かって延設された爪部３４が形成されている。爪部３４は、集塵装置２が掃除機本体１に取り付けられた状態において、掃除機本体１の本体ハンドル１４に形成された第１の凹部１４ａと係合され、掃除機本体１に集塵装置２を保持させるとともに、ハンドル２３の倒立状態において、上蓋体２２の上面に形成された第２の凹部３５と係合され、ハンドル２３を倒立状態で保持させるように構成されている。また、爪部３４は、後述するハンドル２３に設けられた第３の凹部３６と後述する上
蓋体２２に設けられた保持部３７との係合が解除され、ねじりばね３３の付勢力によって、ハンドル２３が収納状態から倒立状態へと回動される際に、掃除機本体１の本体ハンドル１４と当接し、集塵装置２を掃除機本体１から離間する方向に押し上げるように構成されている。
【００４８】
ハンドル２３の中央部、すなわち、下部ハンドル体２３ａの中央部には、第３の凹部３６が形成されている。また、上蓋体２２の前部には、ハンドル２３の中央部に形成された第３の凹部３６と係合し、ねじりばね３３の付勢力に反してハンドル２３を収納状態で保持する保持部３７が設けられている。さらに、上蓋体２２の前部には、ハンドル２３に形成された第３の凹部３６と上蓋体２２に設けられた保持部３７とが係合され、ハンドル２３が収納状態で保持されている状態において、第３の凹部３６と保持部３７との係合を解除する操作部３８が設けられており、この操作部３８は、保持部３７と一体的に形成されている。また、操作部３８の裏面には、操作部３８を上蓋体２２の内部から上蓋体２２の外部に向かって付勢するコイルバネ３９が配置されている。保持部３７及び操作部３８は、上蓋体２２の内部から上蓋体２２の外部に突出するように、上蓋体２２の内部に摺動自在に設けられている。また、保持部３７及び操作部３８は、コイルバネ３９の付勢力に反して操作部３８が上蓋体２２の内部に押込まれた場合、操作部３８の動作に連動して、保持部３７が上蓋体２２の内部へと移動し、保持部３７と第３の凹部３６との係合が解除されるように構成されている。
【００４９】
以上のように構成された電気掃除機１００について、以下、その動作、作用を説明する。
【００５０】
掃除機本体１に集塵装置２が取り付けられた状態、すなわち、掃除機本体１の本体ハンドル１４に形成された第１の凹部１４ａと集塵装置２のハンドル２３に形成された爪部３４とが係合され、かつ、集塵装置２のハンドル２３が収納状態となっている状態で、使用者が把手部６を保持し、電気掃除機１００の運転を開始すると、電動送風機９で吸引風が発生し吸引力が発生する。この状態で、使用者が被清掃面上で吸込具３を動かすと、吸込具３から被清掃面上の塵埃が吸引風とともに吸引される。吸込具３から吸引された塵埃を含む吸引風は、延長管４及びホース５を介して吸気口１ａから掃除機本体１内へと流入する。掃除機本体１内へと流入した塵埃を含む吸引風は、掃除機本体１の内部に形成された連通風路（図示せず）を通って集塵装置２の後部に形成された流入口１５ａから集塵装置２の内部へと流入する。
【００５１】
集塵装置２の内部に流入した塵埃を含む空気は、集塵装置本体１５の内面と一次フィルター１６とで形成される遠心分離空間部２ａに流入し、遠心分離空間部２ａで発生する旋回流により粗塵や細塵などを含む塵埃と空気とが遠心分離される。遠心分離空間部２ａで遠心分離された塵埃は、第１の延出部１９及び第２の延出部２０と集塵装置本体１５の内面との間に形成された塵埃通路部２ｃを通り、集塵装置本体１５の内面、第１の延出部１９、及び、下蓋体２１によって集塵装置２の下部に形成された塵埃蓄積空間部２ｂへと蓄積される。
【００５２】
ここで、図５に示すように、本実施の形態においては、塵埃通路部２ｃの幅Ｈ１が遠心分離空間部２ａの幅Ｈ２がよりも小さくなるように形成しているため、遠心分離空間部２ａから塵埃蓄積空間部２ｂに流入する空気の流速を増加させることができ、遠心分離空間部２ａから塵埃蓄積空間部２ｂに向けて押さえつける力を発生させることができる。そのため、塵埃蓄積空間部２ｂに蓄積した塵埃を圧縮することができるとともに、塵埃蓄積空間部２ｂに蓄積した塵埃が遠心分離空間部２ａに舞い戻ることを防止することができる。
【００５３】
また、塵埃蓄積空間部２ｂに塵埃とともに流入した空気は、電動送風機９の吸引力によ
って塵埃蓄積空間部２ｂから遠心分離空間部２ａへと流れるが、このとき、塵埃蓄積空間部２ｂに蓄積された塵埃が塵埃蓄積空間部２ｂから遠心分離空間部２ａへと流れる空気の流れによって遠心分離空間部２ａへと導かれてしまい、一次フィルター１６に付着してしまうことがある。そこで、本実施の形態においては、一次フィルター１６の下部に第１の延出部１９を形成するとともに、一次フィルター１６と第１の延出部１９との間に第２の延出部２０を形成することで、塵埃蓄積空間部２ｂに流入した空気とともに塵埃蓄積空間部２ｂから遠心分離空間部２ａへと舞い戻ろうとする塵埃を一次フィルター１６から離れる方向、すなわち、遠心分離空間部２ａの旋回気流の流速が速い領域に導き、塵埃蓄積空間部２ｂから遠心分離空間部２ａへ舞い戻ろうとする塵埃を、遠心分離空間部２ａから塵埃蓄積空間部２ｂへと流れる塵埃とともに塵埃蓄積空間部２ｂへと流入させ、塵埃蓄積空間部２ｂに蓄積された塵埃が遠心分離空間部２ａ側へと舞い戻り、一次フィルター１６に付着することを防止することができる。また、本実施の形態においては、一次フィルター１６の下部に形成した第１の延出部１９の第１の傾斜部１９ａ及び垂直部１９ｂと第２の円筒部１９ｅとの間に第１の円筒部１９ｃを設けるとともに、一次フィルター１６と第１の延出部１９との間に第２の延出部２０を形成し、塵埃蓄積空間部２ｂに流入した空気が遠心分離空間部２ａへと流れる流路の長さを長くすることで、塵埃蓄積空間部２ｂに蓄積された塵埃が塵埃蓄積空間部２ｂから遠心分離空間部２ａへと流れる空気とともに遠心分離空間部２ａに流入することを防止している。
【００５４】
遠心分離空間部２ａで塵埃が遠心分離された空気は、一次フィルター１６を通過し、その後、二次フィルター１８を通過することで、遠心分離空間部２ａで遠心分離されず、空気とともに一次フィルター１６を通過した塵埃が二次フィルター１８で捕集される。そして、塵埃を含まない空気のみが二次フィルター１８を通過し、集塵装置２の流出口２２ａから集塵装置２の外部へと排出される。集塵装置２から排出された空気は、掃除機本体１の内部へと流入するとともに、掃除機本体１の内部に形成された吸気通路（図示せず）を介して電動送風機９の吸気口（図示せず）から電動送風機９の内部へと流入する。そして、電動送風機９の内部へと流入した空気は、電動送風機９の外部へと排出され、その後、電動送風機室１０を介して掃除機本体１に形成された排気口（図示せず）から掃除機本体１の外部へと排出される。
【００５５】
二次フィルター１８で捕集された塵埃は、電動送風機９の運転停止時に、二次フィルター１８の上方に設けられた除塵部２４に駆動部２５から振動が与えられることによって、二次フィルター１８から剥離される。そして、二次フィルター１８から剥離された塵埃は、一次フィルター取り付け枠１７より内側の空間を通り、一次フィルター１６の下方へと導かれる。一次フィルター１６の下方へと導かれた塵埃は、第１の延出部１９に形成された第２の傾斜部１９ｄによって第２の円筒部１９ｅの内部へと導かれ、第２の円筒部１９ｅの内部に蓄積される。
【００５６】
使用者が集塵装置２の内部に蓄積した塵埃を捨てる場合、使用者は、集塵装置２の前方の上部、すなわち、集塵装置２の上蓋体２２の前部に設けられた操作部３８を操作し、ハンドル２３の第３の凹部３６と保持部３７との係合、及び、掃除機本体１の本体ハンドル１４に設けられた第１の凹部１４ａと集塵装置２のハンドル２３に設けられた爪部３４との係合を解除することで、集塵装置２を掃除機本体１から取り外し、集塵装置２の内部に蓄積した塵埃を廃棄する。
【００５７】
具体的には、掃除機本体１に集塵装置２が所定角度傾斜した状態で取り付けられた状態において、掃除機本体１の本体ハンドル１４に形成された第１の凹部１４ａと集塵装置２のハンドル２３に形成された爪部３４とが係合され、かつ、集塵装置２のハンドル２３に設けられた第３の凹部３６と集塵装置２の上蓋体２２に設けられた保持部３７とがねじりばね３３の付勢力に反して係合されることで、集塵装置２は掃除機本体１に保持されてい
る。この状態で、集塵装置２の内部に溜まった塵埃を捨てるために、使用者がコイルバネ３９の付勢力に反して操作部３８を上蓋体２２の内部へと移動させると、操作部３８の動作に連動して保持部３７が上蓋体２２の内部へと移動し、ハンドル２３に設けられた第３の凹部３６と保持部３７との係合が解除される。第３の凹部３６と保持部３７との係合が解除されると、ねじりばね３３の付勢力により、ハンドル２３が収納状態から倒立状態となる方向へと回動され、ハンドル２３の回動に連動して、掃除機本体１の本体ハンドル１４に形成された第１の凹部１４ａとハンドル２３の端部に形成された爪部３４との係合が解除されるとともに、ハンドル２３の回動に連動して、爪部３４が本体ハンドル１４に当接し、集塵装置２が掃除機本体１から離間する方向に押し上げられる。この状態で、使用者は、ハンドル２３を保持し、集塵装置２を掃除機本体１の上方へと持ち上げることで、集塵装置２を掃除機本体１から取り外すことができる。
【００５８】
このとき、ねじりばね３３は、ハンドル２３の回動時にハンドル２３の回動軸部２３ｃと同軸で回動するように構成されているため、ハンドル２３の回動時に、ねじりばね３３に過度な荷重がかかることを十分に防止することができ、ねじりばね３３の付勢力によってハンドル２３を容易に回動させることができるとともに、過度な荷重によりねじりばね３３が変形することを十分に防止することができるため、過度な荷重によってねじりばね３３が劣化することを十分に防止することができ、ねじりばね３３の付勢力によってハンドル２３を確実に回動させることができる。
【００５９】
また、ねじりばね３３は、ハンドル２３の回動角度が所定角度未満である場合には、ハンドル２３に固定されたねじりばね３３の一端のみがハンドル２３の回動に連動して回動軸部２３ｃと同軸で回動するとともに、ねじりばね３３の他端は上蓋体２２の内部でリブ体２２ｄに当接され、回動が規制されている。そのため、ねじりばね３３の付勢力をハンドル２３に確実に伝達することができ、ねじりばね３３の付勢力によってハンドル２３を収納状態から倒立状態になる方向へと確実に回動させることができる。また、ねじりばね３３は、ハンドル２３の回動角度が所定角度以上になった場合には、ハンドル２３に固定されたねじりばね３３の一端がハンドル２３の回動に連動して回動軸部２３ｃと同軸で回動するとともに、上蓋体２２の内部に挿入されたねじりばね３３の他端とリブ体２２ｄとの当接が解除され、ねじりばね３３の他端がハンドル２３の回動に連動して溝部２２ｃに沿って回動軸部２３ｃと同軸で回動し、ハンドル２３の回動に連動して、ねじりばね３３の両端が回動軸部２３ｃと同軸で回動するように構成されている。そのため、ハンドル２３が所定角度以上回動された状態で、ねじりばね３３に過度の荷重がかかることがないため、ねじりばね３３が変形することがなく、ねじりばね３３の変形によってねじりばね３３が劣化することを十分に防止でき、ねじりばね３３の付勢力によってハンドル２３をより確実に回動させることができる。
【００６０】
ここで、本実施の形態においては、ハンドル２３の回動角度がねじりばね３３が無荷重状態となる角度未満である場合には、ハンドル２３に固定されたねじりばね３３の一端のみがハンドル２３の回動に連動して回動軸部２３ｃと同軸で回動するとともに、上蓋体２２の内部に挿入されたねじりばね３３の他端はリブ体２２ｄに当接されることで回動が規制され、ハンドル２３の回動角度がねじりばね３３が無荷重状態となる角度以上になった場合には、ねじりばね３３の一端がハンドル２３の回動に連動して回動軸部２３ｃと同軸で回動するとともに、ねじりばね３３の他端とリブ体２２ｄとの当接が解除され、ねじりばね３３の他端がハンドル２３の回動に連動して溝部２２ｃに沿って回動軸部２３ｃと同軸で回動し、ハンドル２３の回動に連動して、ねじりばね３３の両端が回動軸部２３ｃと同軸で回動するように構成している。この構成により、ハンドル２３が収納状態から倒立状態へと回動する際に、ねじりばね３３は、ハンドル２３の回動角度がねじりばね３３が無荷重状態となる角度未満である場合には、ねじりばね３３の一端がハンドル２３の回動に連動して回動軸部２３ｃと同軸で回動するとともに、ねじりばね３３の他端が上蓋体２
２の内部でリブ体２２ｄに当接されているため、ねじりばね３３の付勢力でハンドル２３を確実に回動させることができる。また、ねじりばね３３は、ハンドル２３の回動角度がねじりばね３３が無荷重状態となる角度以上となった場合には、ねじりばね３３の他端とリブ体２２ｄとの当接が解除され、ねじりばね３３の両端がハンドル２３の回動に連動して回動軸部２３ｃと同軸で回動されるため、使用者がハンドル２３を保持し、集塵装置２を掃除機本体１から取り外した際に、ハンドル２３の回動角度がねじりばね３３が無荷重状態となる角度以上となった場合であっても、ねじりばね３３に過度の荷重がかかることがなく、ねじりばね３３が変形することを十分に防止することができる。そのため、過度な荷重によってねじりばね３３が劣化することを十分に防止することができ、ねじりばね３３の付勢力によってハンドル２３を確実に回動させることができる。
【００６１】
集塵装置２を掃除機本体１から取り外した後、使用者は、ハンドル２３が倒立状態となるようにハンドル２３をさらに回動させる。このとき、使用者は、ハンドル２３を上蓋体２２の上面に対して９０度以上倒立させ、爪部３４と第２の凹部３５とを係合させ、ハンドル２３を倒立状態で保持固定させる。この状態で、使用者は、ハンドル２３を保持し、集塵装置２をゴミ箱等の上へと移動させ、上蓋体２２の上面の後部に形成された開閉操作部３１を操作する。使用者により開閉操作部３１が操作されると、スライダー３０が下方に押し下げられ、尾錠部２７が回動し、下蓋体２１と尾錠部２７との係合が解除され、集塵装置２の塵埃蓄積空間部２ｂに蓄積された塵埃が集塵装置本体１５の下端側の開口部（図示せず）から集塵装置２の外部へと排出される。
【００６２】
使用者が集塵装置２内に蓄積した塵埃を捨て、集塵装置２を掃除機本体１に装着する場合、使用者は、ハンドル２３が倒立状態で保持固定されたままの状態で、集塵装置２を掃除機本体１の集塵装置収納部１１に取り付け、集塵装置２を掃除機本体１へと取り付ける。
【００６３】
図９（ａ）及び（ｂ）に示すように、ハンドル２３が倒立状態のまま、使用者により集塵装置２が掃除機本体１に取り付けられると、集塵装置２の上蓋体２２に設けられたハンドル２３と掃除機本体１の上部に設けられた本体ハンドル１４とが当接し、爪部３４と第２の凹部３５との係合が解除され、ハンドル２３が倒立状態から収納状態へと回動し、爪部３４と第１の凹部１４ａとが係合する。この状態で、使用者がハンドル２３を下方へと押し下げると、ねじりばね３３の付勢力に反して、ハンドル２３に設けた第３の凹部３６と上蓋体２２に設けた保持部３７とが係合され、集塵装置２が掃除機本体１に取り付けられる。このとき、保持部３７及び操作部３８は、上蓋体２２に摺動自在に取り付けられているため、保持部３７及び操作部３８は、使用者がハンドル２３を下方へと押し下げた際にハンドル２３の回動に連動して上蓋体２２の内部へと押し込まれるとともに、ハンドル２３が収納状態となったときに、コイルバネ３９の付勢力により上蓋体２２の内部から上蓋体２２の外部へと移動され、第３の凹部３６と保持部３７とがねじりばね３３の付勢力に反して係合される。また、集塵装置２を掃除機本体１から取り外す場合と同様に、ねじりばね３３は、ハンドル２３の回動角度が無荷重状態となる角度以上である場合には、ねじりばねの３３の両端がハンドル２３の回動に連動して回動軸部２３ｃと同軸で回動し、ハンドル２３の回動角度がねじるばね３３が無荷重状態となる角度未満になった場合には、ねじりばね３３の一端がハンドル２３の回動に連動して回動軸部２３ｃと同軸で回動するとともに、ねじりばね３３の他端とリブ体２２ｄとが当接され、ねじりばね３３の他端の回動が規制される。そのため、ハンドル２３の回動時にねじりばね３３に過度な荷重がかかることがなく、ねじりばね３３が変形することを十分に防止することができるとともに、ねじりばね３３の付勢力によってハンドル２３を確実に回動させることができる。
【００６４】
以上のように、本実施の形態においては、集塵装置２が掃除機本体１に取り付けられている状態において、集塵装置２を掃除機本体１から取り外すために、使用者によって操作
部３８が上蓋体２２の内部へと押込まれると、操作部３８の動作に連動して、保持部３７と第３の凹部３６との係合が解除され、ねじりばね３３の付勢力によってハンドル２３が収納状態から倒立状態へと回動されるとともに、爪部３４と第１の凹部１４ａとの係合が解除されるように構成されているため、使用者は操作部３８を操作し、ハンドル２３と保持部３７との係合を解除するだけで、ねじりばね３３の付勢力によってハンドル２３を容易に回動させることができ、ハンドル２３と掃除機本体１との係合を解除することができるため、集塵装置２を掃除機本体１から容易に取り外すことができ、電気掃除機１００の使い勝手を向上させることができる。
【００６５】
また、本実施の形態においては、集塵装置２が掃除機本体１に取り付けられた状態で操作部３８が操作され、ハンドル２３と保持部３７との係合が解除され、ハンドル２３がねじりばね３３の付勢力によって収納状態から倒立状態へと回動されると、ハンドル２３と掃除機本体１との係合が解除されるとともに、ハンドル２３の回動に連動してハンドル２３の爪部３４と掃除機本体１の本体ハンドル１４と当接され、集塵装置２が掃除機本体１から離間する方向に押上られるように構成しているため、ハンドル２３の回動に連動して集塵装置２を掃除機本体１から離間させることができ、集塵装置２を掃除機本体１からより容易に取り外すことができるとともに、電気掃除機１００の使い勝手を向上させることができる。
【００６６】
さらに、本実施の形態においては、ハンドル２３の回動時に、ねじりばね３３がハンドル２３の回動軸部２３ｃと同軸で回動するように構成しているため、ハンドル２３の回動時に、ねじりばね３３に過度な荷重がかかることを十分に防止することができ、ねじりばね３３の付勢力によってハンドル２３を容易に回動させることができるとともに、ねじりばね３３に過度な荷重がかかり、ねじりばね３３が変形することを十分に防止することができる。そのため、過度な荷重によってねじりばね３３が劣化することを十分に防止することができ、ねじりばね３３の付勢力によってハンドル２３を確実に回動させることができる。
【００６７】
また、本実施の形態においては、ねじりばね３３の一端のみがハンドル２３に固定されており、ねじりばね３３の他端は、ハンドル２３が収納状態であるときには、集塵装置２に当接するとともに、ハンドル２３が収納状態から倒立状態に回動するときには、ハンドル２３の回動に連動して同軸に回動するように構成されているため、ねじりばね３３の付勢力をハンドル２３に確実に伝達し、ハンドル２３を収納状態から倒立状態となる方向へと確実に回動させることができる。また、ハンドル２３の回動時に、ねじりばね３３に過度な荷重がかかり、ねじりばね３３が変形することを十分に防止することができるため、ねじりばね３３が劣化することを十分に防止でき、ねじりばね３３の付勢力によってハンドル２３をより確実に回動させることができる。
【００６８】
さらに、本実施の形態においては、ねじりばね３３は、ハンドル２３の回動角度がねじりばね３３が無荷重状態となる角度未満である場合には、ねじりばね３３の一端がハンドル２３の回動に連動して回動するとともに、ねじりばね３３の他端が集塵装置２に当接しており、ハンドル２３の回動角度がねじりばね３３が無荷重状態となる角度以上になった場合には、ねじりばね３３の両端がハンドル２３の回動に連動して回動するように構成されているため、ハンドル２３の回動角度がねじりばね３３が無荷重状態となる角度未満である場合には、ねじりばね３３の付勢力をハンドル２３に確実に伝達し、ハンドル２３を確実に回動させることができる。また、ねじりばね３３が無荷重状態となる角度以上にハンドル２３を回動させた際に、ねじりばね３３に過度な荷重がかかることがなく、ねじりばね３３が変形することを十分に防止することができるため、過度な荷重によってねじりばね３３が劣化することを十分に防止することができ、ねじりばね３３の付勢力によってハンドル２３を確実に回動させることができる。
【００６９】
また、本実施の形態においては、集塵装置２が掃除機本体１に略４５度傾斜した状態で取り付けられるように構成している。また、本実施の形態においては、集塵装置２の前方の上部、すなわち、上蓋体２２の前面に操作部３８を配置するとともに、ハンドル２３が収納状態から倒立状態となる方向へと回動する際に、ハンドル２３が集塵装置２の後方に向かって回動するように構成している。そのため、掃除機本体１を小型化することができるとともに、使用者が操作部３８を操作しやすくなり、使用者が操作部３８を操作してハンドル２３を回動させて際に、ハンドル２３が使用者の手にぶつかることがなく、電気掃除機１００の使い勝手を向上させることができる。
【００７０】
さらに、本実施の形態においては、ハンドル２３を収納状態から倒立状態となる方向へと回動させるために、使用者がコイルバネ３９の付勢力に反して操作部３８を上蓋体２２の内部へと移動させた場合、操作部３８の動作に連動して保持部３７が上蓋体２２の内部に移動するように構成している。また、本実施の形態においては、集塵装置２を掃除機本体１に取り付けるために、使用者が集塵装置２を掃除機本体１の集塵装置収納部１１に取り付け、ハンドル２３を倒立状態から収納状態へと回動させ、ハンドル２３を下方へと押し下げた場合、ハンドル２３の回動に連動して、保持部３７及び操作部３８が上蓋体２２の内部へと押し込まれるとともに、ハンドル２３が収納状態となったときに、コイルバネ３９の付勢力により上蓋体２２の内部から上蓋体２２の外部へと移動されるように構成されている。この構成により、操作部３８の動作、及び、ハンドル２３の回動に連動して、保持部３７を上蓋体２２の内部へと移動させることができるため、ハンドル２３の回動時に、ハンドル２３と保持部３７との摩擦により、保持部３７が磨耗することを十分に防止することができる。そのため、ねじりばね３３の付勢力に反して第３の凹部３６と保持部３７とを確実に係合させることができ、ハンドル２３を収納状態で確実に保持することができる。
【産業上の利用可能性】
【００７１】
本発明の電気掃除機は、集塵装置を掃除機本体から取り外す場合、使用者は、操作部を操作し、ハンドルと保持部との係合を解除するだけで、付勢手段の付勢力によってハンドルを容易に回動させ、ハンドルと掃除機本体との係合を解除でき、集塵装置を掃除機本体から容易に取り外すことが可能になるため、家庭用電気掃除機及び産業用電気掃除機の分野・用途に好適に適用することができる。
【符号の説明】
【００７２】
１  掃除機本体
１ａ  吸気口
２  集塵装置
２ａ  遠心分離空間部
２ｂ  塵埃蓄積空間部
２ｃ  塵埃通路部
３  吸込具
４  延長管
５  ホース
６  把手部
７  先端パイプ
８  接続パイプ
９  電動送風機
１０  電動送風機室
１１  集塵装置収納部
１２  車輪
１３  キャスター
１４  本体ハンドル
１４ａ  第１の凹部
１５  集塵装置本体
１５ａ  流入口
１６  一次フィルター
１７  一次フィルター取り付け枠
１８  二次フィルター
１９  第１の延出部
１９ａ  第１の傾斜部
１９ｂ  垂直部
１９ｃ  第１の円筒部
１９ｄ  第２の傾斜部
１９ｅ  第２の円筒部
２０  第２の延出部
２１  下蓋体
２２  上蓋体
２２ａ  流出口
２２ｂ  軸穴部
２２ｃ  溝部
２２ｄ  リブ体
２３  ハンドル
２３ａ  下部ハンドル体
２３ｂ  上部ハンドル体
２３ｃ  回動軸部
２４  除塵部
２５  駆動部
２６  ヒンジ部
２７  尾錠部
２８  第１のシール部材
２９  第２のシール部材
３０  スライダー
３１  開閉操作部
３２  バックル部
３３  ねじりばね
３４  爪部
３５  第２の凹部
３６  第３の凹部
３７  保持部
３８  操作部
３９  コイルバネ
１００  電気掃除機
【図１】
2014050499.tif 000003
【図２】
2014050499.tif 000004
【図３】
2014050499.tif 000005
【図４】
2014050499.tif 000006
【図５】
2014050499.tif 000007
【図６】
2014050499.tif 000008
【図７】
2014050499.tif 000009
【図８】
2014050499.tif 000010
【図９】
2014050499.tif 000011
【図１０】
2014050499.tif 000012